(57)【要約】【課題】フードを着用した場合における、フード前部端形状の安定保持を可能とする手段を提供する。【解決手段】柔軟性と弾力性を有する適宜長の細長管体を設け、該管体の一端に管体端の着脱的相互接続のための接続体を設け、管体の中間に、管体に対し適度の抵抗を有してスライド可能なる２本のスライド管を位置させたことを特徴とする。【選択図】図４
2016141923.tif 000002
【特許請求の範囲】
【請求項１】
柔軟性と弾力性を有する適宜長の細長管体を設け、該管体の一端に管体端の着脱的相互接続のための接続体を設け、管体の中間に、管体に対し適度の抵抗を有してスライド可能なる２本のスライド管を位置させたことを特徴とする着用フード用形状保持体。
【請求項２】
２本の細長管体に２個の接続体を用いて、細長管体を相互に着脱可能としてなる請求項１記載の着用フード用形状保持体。
【請求項３】
細長管体に代えて細長棒体を用いてなる請求項１または２記載の着用フード用形状保持体。
【発明の詳細な説明】
【技術分野】
【０００１】  この発明は、ジャンパーやダウンジャケット等に付属のフードに装着してそのフード形状を保持するための形状保持体に関する。
【背景技術】
【０００２】  従来より、上記フードは頭巾状の布製品であって、必要に応じて頭部にかぶせて使うものであるが、その形状保持手段は見当たらず、フード端部に挿通した紐を結ぶのみのものが大半であって、本発明にて示すように、フード端部の形状保持のための形状保持体は現在のところ見当たらない。
【発明の概要】
【発明が解決しようとする課題】
【０００３】  従来より、ジャンパー等にフードがついたものが多用されている。雨や雪などから頭部を保護することを目的としたものであるが、とりわけ降雪時によく利用されている。
このフードはジャンパー等の上部に一体に設けられていることが多くあり、たとえば屋外歩行時に頭部を覆うように着用するものである。
しかし、このままでは頭部との一体感がなく、風などにて容易に頭部から外れる可能性があるために、フード前面端部に挿通孔を設けて、この挿通孔に紐を挿通し、挿通孔より露出しているこの紐の両端を結ぶなどして頭部からの離脱を防ぐものが多用されている。
しかしながら、この紐を結ぶことが手間となり、煩わしく、そのために紐を結ばずに用いることもしばしばあるが、そうすると頭部へのフィット感がなくなり、フードと頭部との隙間から風や雪が入り込むこととなる。また、フードは一般には人体頭部サイズよりやや大きく作られているために、紐を結んでいたとしても何らかの屋外作業中にこのフードが前方にずれて、顔面上部を覆う場合も多く、視界不良となるためにフード位置設定を再度行わなければならないなどの問題を有しているが、これに対処する適切な手段が見当たらないのが現状である。
本発明は以上に鑑み、フードに特定構成の形状保持体を挿入することにて、フード形状の保持を可能とする、新規かつ有用なる手段を提供することを目的として発明されたものである。
【課題を解決するための手段】
【０００４】  課題を解決する手段として本発明は以下の構成とした。
すなわち、柔軟性と弾力性を有する適宜長の細長管体を設け、該管体の一端に管体端の着脱的相互接続のための接続体を設け、管体の中間に、管体に対し適度の抵抗を有してスライド可能なる２本のスライド管を位置させる。
本発明は以上の構成よりなる着用フード用形状保持体である。
【発明の効果】
【０００５】  本発明は下記の効果を有する。
１．柔軟性と弾力性を有する挿通体を、フード前面の孔に挿通して用いるので、フード着用時におけるフード前部の適切なる形状保持を行うことができるとともに、フード端の頭部に対する位置ずれを防止することができる。
２．挿通体にスライド管を設けているので、このスライド管による挿通体の直線部分を顔の両側に近接位置させることができて、顔側方への風や雪の吹き込みを防止することができる。
３．スライド管は挿通体に対し適度の抵抗を有してスライド可能であるため、使用者の顔形状やサイズに合わせて本発明品の形状を調整することができる。
４．シンプルな構成であり、比較的安価に提供することができ、使用時の操作も簡単である。
【図面の簡単な説明】
【０００６】
【図１】  本発明の本体Ａの正面図
【図２】  本発明の本体Ｂの正面図
【図３】  本発明の両本体の接続状態図
【図４】  本発明の環状接続状態図
【図５】  本発明の使用状態図（正面）
【図６】  本発明の使用状態図（右側面）
【発明を実施するための最良の形態】
【０００７】  以下、本発明の実施形態について説明する。
図において、１は適度の柔軟性と弾力性を有する合成樹脂管による挿通体Ａ、２は該挿通体を内部にしてスライド可能なる金属管によるスライド管Ａであって、この挿通体に対して適度の嵌合的抵抗を有して人力にて容易にスライド可能なる物品である。
以上の構成により本体Ａ３が形成される。
４は挿通体Ａとほぼ同長で同材質同径の挿通体Ｂ、５はスライド管Ａと同一物品であるスライド管Ｂ、６は挿通体と同材質異径の短管による接続体で、挿通体Ｂの両端に、空隙を有して嵌合挿入されるものである。
以上の構成にて、本体Ｂ７が形成される。
なお、挿通体はポリエチレン製にてその外径は４ミリメートル、内径は２ミリメートル、全長は約３２０ミリメートル程度であり、スライド管は銅管にてその全長は１３０ミリメートル程度である。以上が本発明の一実施形態である。【０００８】  次に、本発明の使用について説明する。
本発明は、本体Ａと本体Ｂとを接続体を用いて環状に接続して用いるものであって、その接続後の形状を図４にて示す。
本発明の使用に際しては、まず市販のジャンパー等に一体に設けられているフード前部の紐挿通孔に本発明品を挿通させるが、挿通前に図３にて示すように、まず本体Ａの一端を接続体に挿通接続させ、双方挿通体の各端部が接続体の中心位置に来るように調整する。フード内に位置する紐を抜き取り、挿通体の一方をフードの孔端から挿入し、挿通体両端を適宜長露出させる。
次に、露出している各挿通体端を接続体を介して接続して環状を形成する。各スライド管をスライドさせて、顔のほほの外側にスライド管が位置するようにスライド調整する。
以上の作業にて、図４にて示す形状がフード内に形成される。すなわち、接続体は上部と下部に位置し、スライド管はフード内両側に対向配置されるが、このスライド管のスライド位置調整にて、挿通体上部は大径の湾曲状に、下部はやや小径の湾曲状となる。【０００９】  つまり、顔の輪郭に近似した枠形がフード内に形成され、その枠形状が顔輪郭のすぐ近くにてフード前端形状を保持することとなる。従って、頭部をフードが覆うとともに、顔側方に近接してこの枠形状が発生するために、フードを用いての作業時における頭部方向および顔方向の変更にこの枠形状が追随して、既述のような問題を解消することができる。
すなわち、フードが顔上部に垂れ下がろうとしても、弾力のある挿通体がそれを阻止し、また、挿通体の湾曲変形にて顔のほぼ近接箇所が外に広がろうとしても、スライド管がそれを阻止するのである。
なお、本案の不使用時は一方の挿通体を他方の挿通体より分離することにて、フードの頭部からの離脱を行うことができる。
本体ＡとＢをフード内に残したままでも、再び既述の手順にて再使用できるが、長期不使用のときは、フードから各本体を抜き取って保管すればよい。なお、抜き取ったままでは挿通体は湾曲しているので、例えば既述と同じスライド管を２本用意して、挿通体に差し込むことにて、その湾曲形を略直線形に補正することができる。また、本体ＡとＢとを分離してコンパクトに保管することができる。【００１０】  以上、本発明について記したが、本発明は既存のフードに形状保持体を挿通してフード前端形状を保持することにより、フード着用時における頭部に対するフード前端部の位置ずれを防止するとともに、作業時等における視界不良やフード内への風や雪の吹き込みを防止するものである。
従来は既述のように、本発明にて示す手段はなく、例えばフード前端に紐等を挿通するなどして、この紐端を結んでフード前端を顔面側方に近接する方法がある。
しかしこの手段では紐を結ぶ煩わしさとともに、紐は剛性を有せず、フードサイズは頭部サイズより大きく形成されているために、屋外作業中の頭部方向の変更などにて、頭部に対するフード前端の位置ずれが発生して、顔面上部をフードが覆って視界不良等の発生原因となりがちであり、とりわけ、紐が緩むとこれが顕著であった。【００１１】  しかし、本発明を用いることによって既述のごとく、上記問題が解消されるのである。
すなわち、フード前端内部に図４に示す枠形が形成されて、フード前端の枠形状が保持されるのである。この枠形状は顔面側方に近接して位置するために、作業時においてもこの枠にてフード前端形状が保たれるのである。
また、挿通体にはスライド管がスライド可能に位置している。このスライド管のスライド調整にて、図４に示すように顔の輪郭に沿った枠形状とすることができるとともに、スライド管にて直線的部分を顔のほほに近接して位置させることができて、フード内への風や雪などの吹き込みが防止できるのである。また、このスライド管のスライドにて、使用者の顔面サイズと輪郭に即した使用が可能となるのである。
なお、接続体を長めに形成して、該接続体内の挿通体端距離がとれるように、フリーストップとすることにて、顔サイズに合わせて全体長を調整することができる。【００１２】  本発明は既述のような作用・効果を有しているが、既例以外の構成も可能であって、例えば既例では挿通体をＡとＢにて構成しているが、これを単一の１本の挿通体にて形成してもよく、この場合は１個の接続体と２本のスライド管を用いることとなる。
挿通体は既例では、内径２ミリメートル、外径４ミリメートルとしたが、これが太すぎるとフードの孔に挿通しにくくなり、細すぎると挿通体の剛性が弱くなって形状保持性が不十分となる。従って、挿通体の外径は３．６ミリメートルから４．４ミリメートルの範囲が適当である。なお、管体に代えて棒体を用いてもよいが、この場合は上記サイズ範囲は縮小される。
スライド管長は、既例では１３０ミリメートル程度としたが、これも長すぎると枠形状の輪郭がいびつになり、短すぎても同様であって、１１０ミリメートルから１５０ミリメートルの範囲が適切である。挿通体全長は、接続時において６５０ミリメートルから７００ミリメートルの範囲が適切である。
既例においては、挿通体にポリエチレン、スライド管に金属管を用いたが、近似性質であれば他の素材を用いてもよい。なお、枠形状保持と調整のために、挿通体に対するスライド管の適当抵抗を有してのスライドは必須である。
以上のごとく、本発明によってフード着用時における既述の問題を解決できる有用なる手段を得ることができる。
【符号の説明】
【００１３】１    挿通体Ａ
２    スライド管Ａ
３    本体Ａ
４    挿通体Ｂ
５    スライド管Ｂ
６    接続体
７    本体Ｂ
１０  フード
１１  本体内在部
【図１】
2016141923.tif 000003
【図２】
2016141923.tif 000004
【図３】
2016141923.tif 000005
【図４】
2016141923.tif 000006
【図５】
2016141923.tif 000007
【図６】
2016141923.tif 000008